(57)【特許請求の範囲】
【請求項１】
軸部材に装着した上向きの倒傘状釣針の上部に、下向きの傘状釣針を対向して装着する釣具であって、前記下向きの傘状釣針の針杆を該傘状釣針の内方に弾発自在に形成することを特徴とする釣具。
【請求項２】
前記上向きの倒傘状釣針を構成する針杆を湾曲して形成し、その針先を前記軸部材の軸心寄りに偏らせることを特徴とする請求項１に記載の釣具。
【請求項３】
前記上向きの倒傘状釣針または下向きの傘状釣針の何れか一方を、前記軸部材の軸方向に摺動可能に形成することを特徴とする請求項１または請求項２に記載の釣具。
【請求項４】
前記軸部材を、可撓性を有する素材で形成することを特徴とする請求項１乃至請求項３に記載のイカ釣具。
【請求項５】
前記下向きの傘状釣針を収納する針収納ケースを有し、該針収納ケースの方向を上下反転させたときに該針収納ケース内に設けられたウェイトが移動することによって、前記傘状釣針が該針収納ケースから出入りすることを特徴とする請求項１乃至請求項４に記載の釣具。
【請求項６】
前記上向きの倒傘状釣針の上方にアームを設け、該アームが該倒傘状釣針の内方に傾動するとウェイトが作用して、前記下向きの傘状釣針が下降することを特徴とする請求項１に記載の釣具。
【発明の詳細な説明】
【技術分野】
【０００１】
本発明は釣具に関し、主としてイカやタコに用い一般魚にも用いることができる釣具に関する。
【背景技術】
【０００２】
イカ釣漁業における釣具は、例えば特開平８−８９１３６号公報に開示されているように、イカを傷付けないために針先に所謂「かえし」のない倒傘状の釣針を使用している。
しかしながら、特開平８−８９１３６号公報に開示されている従来の釣具は、一度引っ掛かったイカが引き上げられる途中で針から外れて逃逸したり、脱落したりする比率が約４０％程度と極めて高いという問題点があり、特にこの傾向は大型のあかイカ等の場合において顕著であった。
また、実開平４-９１６７１号公報には、放射状に分布して取り付けられた複数本の上針と下針相互を引き寄せるためのスプリングを装着したイカヅノが開示されている。
この上針と下針相互をスプリンで引き寄せることにより、下針に引っ掛かったイカがイカヅノから外れることがないうえ、スプリングに抗して下針と上針を開離させることによって引き上げたイカを簡易に外すことができる。
しかし、実開平４-９１６７１号公報に開示されたイカヅノは、上針と下針がスプリングで引き寄せられているため、イカが下針に引っ掛かりにくいという問題点があった。
さらに、特開平２００２-３５４９６５号公報には、下側の針にイカが引っ掛かると上側の針が突出してイカを刺すことによって、イカが巻き上げ途中において触手切れにより脱落し逃げることを防止する釣り上げ装置が開示されている。
しかし、特開平２００２-３５４９６５号公報に開示された方法では、イカの自重によって上側の針を下降させて刺すので、イカが暴れて上方に移動すると上側の針が簡単に上昇してしまうためイカが外れてしまうという問題点があった。
【特許文献１】特開平８-８９１３６号公報
【特許文献２】実開平４-９１６７１号公報
【特許文献３】特開平２００２-３５４９６５号公報
【発明の開示】
【発明が解決しようとする課題】
【０００３】
本発明は、前述のような従来技術の問題点を解決し、イカやタコが下針に引っ掛かり易く、一度引っ掛かったイカやタコを引き上げる途中における針からの逃逸や脱落を防止することができる釣具を提供することを課題とする。
【課題を解決するための手段】
【０００４】
本発明は前述の課題を解決するために鋭意検討の結果なされたものであり、その要旨とするところは特許請求の範囲に記載した通りの下記内容である。
（１）軸部材に装着した上向きの倒傘状釣針の上部に、下向きの傘状釣針を対向して装着する釣具であって、前記下向きの傘状釣針の針杆を該傘状釣針の内方に弾発自在に形成することを特徴とする釣具。
（２）前記上向きの倒傘状釣針を構成する針杆を湾曲して形成し、その針先を前記軸部材の軸心寄りに偏らせることを特徴とする（１）に記載の釣具。
（３）前記上向きの倒傘状釣針または下向きの傘状釣針の何れか一方を、前記軸部材の軸方向に摺動可能に形成することを特徴とする（１）または（２）に記載の釣具。
（４）前記軸部材を、可撓性を有する素材で形成することを特徴とする（１）乃至（３）に記載のイカ釣具。
（５）前記下向きの傘状釣針を収納する針収納ケースを有し、該針収納ケースの方向を上下反転させたときに該針収納ケース内に設けられたウェイトが移動することによって、前記傘状釣針が該針収納ケースから出入りすることを特徴とする（１）乃至（４）に記載の釣具。
（６）軸部材に装着した上向きの倒傘状釣針の上部に下向きの傘状釣針を対向して装着する釣具であって、前記上向きの倒傘状釣針の上方にアームを設け、該アームが該倒傘状釣針の内方に傾動するとウェイトが作用して、前記下向きの傘状釣針が下降することを特徴とする（１）に記載の釣具。
【発明の効果】
【０００５】
本発明によれば、イカやタコが引っ掛かり易く、一度引っ掛かったイカやタコを引き上げる途中における針からの逃逸や脱落を防止することができる釣具を提供することができ、以下のような具体的な産業上有用な著しい効果を奏する。
１）下向きに形成された傘状釣針の針杆を該傘状釣針の内方に弾発自在に形成することによって、イカやタコが傘状釣針を内方に傾けるので、上向きに形成された倒傘状針に引っ掛かり易く抜けにくくなり、イカやタコの引掛かり作用を確実に行い、その逃逸や脱落を防止することができる。
２）上向きの倒傘状釣針の各針杵を略弧状に湾曲形成してその針先を軸心寄りに偏らせることによって、釣糸の捲揚中にその針先が前ローラーや船底に接触しないので、船底を傷つけにくくすることができる。
３）上向きの倒傘状釣針または下向きの傘状釣針の何れか一方を、軸部材の軸方向に摺動可能に形成し、さらに軸部材を、可撓性を有する素材で形成することによって、引き上げたイカやタコを容易に取り外すことができる。
４）下向きの傘状釣針を収納する針収納ケースを設けることによって、下向きの傘状釣針が必要のないときに収納して巻き上げ作業に支障が出ないようにすることができる。
５）上向きの倒傘状釣針の上方にアームを設け、該アームが該倒傘状釣針の内方に傾動すると前記下向きの傘状釣針が下降させることによって、イカやタコの引掛かり作用を更に確実に行い、その逃逸や脱落を防止することができる。
６）下向きの傘状釣針を収納する針収納ケース内に磁石を設け、前記上向きの倒傘状釣針に一定以上の重量がかかると、前記下向きの傘状釣針が下降させることによって、イカやタコの引掛かり作用を更に確実に行い、その逃逸や脱落を防止することができる。
【発明を実施するための最良の形態】
【０００６】
発明を実施するための最良の形態について図１乃至図１５を用いて詳細に説明する。
図１乃至図５は、本発明の釣具の実施形態を例示する図である。
図１乃至図５において、１は軸部材、１´は釣糸連結部、２は倒傘状釣針、２´は針杆、３は針ストッパーパイプ、４は傘状釣針、４´は針杆、５は弾性圧着筒、６は操作パイプ、７´はコイルスプリングを示す。
図１において、上下端部に釣糸連結部１′を設けた軸部材1の下端部には従来公知の釣針と同様な形状の上向きの倒傘状釣針２が固定装着されると共にその上部の軸部材1には針ストッパーパイプ３を介して下向きの傘状釣針４が摺動自在に対向嵌装されると共に該傘状釣針４の装着部から上部に亘り収縮して軸部材1に圧接する弾性圧着筒５が摺動自在に嵌合被着されている。
本発明の釣具は、図１に示すように、軸部材１に装着した上向きの倒傘状釣針２の上部に、下向きの傘状釣針４を対向して装着する釣具であって、前記下向きの傘状釣針４の針杆４´を、該傘状釣針４の内方に弾発自在に形成することを特徴とする。
すなわち、イカやタコが上側の傘状釣針４に抱きつくと、傘状釣針４を構成する針杆４´が図１の矢印の方向に傾斜して下側の倒傘状釣針２の針杆２´の先端が突出するので、イカやタコが下側の倒傘状釣針２に引っ掛かり易くなるうえ、一度下側の倒傘状釣針２に引っ掛かると針杆４´がイカやタコを押さえる働きをするので、外れにくくなる。
なお、図中6は弾性圧着筒５の上端に一体的に設けられた操作パイプであり、また前記軸部材1、弾性圧着筒５および針ストッパーパイプ３には適宜必要に応じてイカ誘集用の発光着色が施されている。
従って、釣針２・４が対向設置されている図1の状態でイカ釣り操作を行ってイカが引掛かると、イカは釣針２・４の相対向する針杵によって刺突捕捉され何れの方向にも逃逸したり、脱落したりすることなく確実に釣獲されるので、これを引上げた後、一方の手で軸部材1を持ち他方の手で弾性圧着筒５の釣針４の装着部を上方に押圧移動して該弾性圧着筒5を図2の如く上方に摺動して傘状釣針４を倒傘状釣針２より離間せしめることにより、イカを傷付けることなく釣針2から取り外すことができ、その後は操作パイプ６で弾性筒５を下方に押圧摺動せしめて再び傘状釣針４を図1の魚釣り状態に復帰せしめてイカ釣り操作を行なうことができる。
【０００７】
図3に示す実施例は、傘状釣針４の上部を軸部材１に上端を係止されて嵌装されたコイルスプリング７´で針ストッパーパイプ３に向け弾発して上向きの倒傘状釣針２に対向せしめると共に前記コイルスプリング7部分の外側に嵌装された操作パイプ6下端を傘状釣針４の装着部に固定し、該操作パイプ6によりコイルスプリング７を上方に圧縮するようにして傘状釣針４を上方に摺動可能に形成したものであり、傘状釣針4の復帰操作をコイルスプリング7の付勢力で自動的に迅速に行なうことができ、この場合においても軸部材1、針ストッパーパイプ3および操作パイプ6等に適宜発色塗料等を塗布してイカを誘集することができる。
図4および図5に示す実施例は、傘状釣針4を構成する各針杵４′の上端部を外方に屈曲した状態で軸部材1に装着すると共にその屈曲外側部に弾性圧着筒5の下端部を被着固定して傘状釣針４の各針杆４′を内方に弾発自在に形成したものであり、イカが掛った場合、イカによって傘状釣針4が内方に閉収してイカに対する釣針２・４の針先が図５のように齟齬状態になって刺突作用をより確実に行なうようにしたものであって、一層効率よくしたものである。
なお、図４および図５に示すように操作パイプ６の上部にストッパー１２が設けられており、これをオンオフ操作することによって、傘状釣針４と倒傘状釣針２とが摺動しないように固定したり、開放したりすることができる。
【０００８】
図６は、上側の傘状釣針を構成する針杆の弾発機構を示す図である。
図６において、１は軸部材、４は傘状釣針、４´は針杆、７は保持筒、８は環状係止溝、９は支持部材、１０は支持リング、１１は弾性リングを示す。
傘状釣針4の各針杵4´自体の屈曲部の弾性を利用して内方に弾発自在に形成することもできるが、図6に示す実施例においては、弾性リング１１を用いて各針杵４′を傘状釣針４の内方に弾発自在に形成したものである。
即ち軸部材1に摺動自在に嵌装された呆持筒７内に環状係止溝８を有する支持部材９を嵌着し、前記環状係止溝8に各針杵4を揺動自在に支持した支持リング１０を嵌合系止すると共に前記支持部材９の下部に弾性リング１１を嵌合して、各針杆４´を外方に拡開するように弾圧支持したものであり、イカやタコが傘状釣針４に針がかりすると、イカやタコによって各針杆４´は弾性リング１１に抗して内方に弾発自在に閉じるように構成されているものである。
【０００９】
図７は、本発明に用いる傘状釣針および倒傘状釣針を例示する図であり、図７（a）および(c)は上側の釣針に用いる傘状釣針、図７(b)は下側の釣針に用いる倒傘状釣針を示す。
図７において、２は倒傘状釣針、２´は針杆、４は傘状釣針、４´は針杆、７は保持筒を示す。
上側の釣針に用いる傘状釣針４を構成する針杆４´は、図７（c）のように、全ての針杆４´を同じ長さにして保持筒７によって、傘状釣針４の内方に弾発自在に形成してもよいが、図７（a）のように、針杆４´の長さに長短を設けることによって、長い針杆４´のみにイカやタコが引っ掛かった場合であっても針杆４´が傾動して下側の倒傘状釣針にイカやタコが引っ掛かり易くすることができる。
一方、下側の釣針に用いる倒傘状釣針２を構成する針杆２´は全て一定の長さの弾発しない固定針としてもよいが、図７（ｂ）のように針杆２´の長さに長短を設け、図７において太線で示す短い針杆２´は固定とし、長い針杆２´は倒傘状釣針２の内方に弾発自在に形成することによって、イカやタコが下側の倒傘状釣針２に抱きついた場合にも引っ掛かり易くすることができる。
【００１０】
図８および図９は、図７の（a）と(b)の釣針を組み合わせた釣具を示す図である。
図８および図９において、１は軸部材であり疑餌１４の役割も果たす、１´は釣糸連結部、２は倒傘状釣針、２´は針杆、４は傘状釣針、４´は針杆、７は保持筒、１３は釣糸を示す。
図８に示すように、本実施例においては、上下の釣針４，２を構成する針杆４´、２´の長さに長短を設け、上側の針杆４´は弾発自在に形成し、下側の針杆２´のうち、短い針杆のみ固定することによって、イカやタコが釣針に抱きついたときに、引っ掛かり易く、一度引っ掛かると外れにくくすることができる。
図９は、イカやタコを釣針から外す方法を示す図である。
本実施例においては、軸部材１を、例えば、軟質プラスチックのような可撓性を有する素材で形成し、軸部材１を曲げることによって針先の一方を開放することによって、釣針に引っ掛かったイカやタコを容易に取り外すことができる。
【００１１】
図１０に示す実施例は、下部の倒傘状釣針2を形成する各針杵2′を軸部材1に対して略弧状に湾曲形成して略球状とし、針杆2′の針先を軸心寄りに偏奇せしめたものであって、このようにすることにより釣糸の引上げ途中において下部の倒傘状釣針2の針先が前ローラーや船底に引掛ってこれを損傷したりすることを防止すると共に針先が摩耗損傷することを防止してその耐久性を向上するようにすることができる。
なお、図１０の１４は疑餌を示し、この光る疑餌が海中で揺動すると、イカやタコが餌と間違えて抱きつくことによって、針杆４´が傘状釣針４の内方に傾動し、下側の傘状釣針２に引っ掛かり易くなる。
図１１は、本発明の釣具に針収納ケースを設けた実施例を示す図であり、図１１（a）は上側の釣針を収納した状態、図１１（ｂ）は上側の釣針が突出した状態を示す。
図１１において、１は軸部材、１´釣糸連結部、２は倒傘状釣針、２´は針杆、４は傘状釣針、４´は針杆、７は保持筒、７´はコイルスプリング、１３は釣糸、１５はウェイト、１６はウェイト収納筒、１７は針収納ケース、１８はストッパーを示す。
本実施例は、下向きの傘状釣針を収納する針収納ケースを有し、該針収納ケースの方向を上下反転させたときに該針収納ケース内に設けられたウェイトが移動することによって、前記傘状釣針が該針収納ケースから出入りすることを特徴とする。
図１１（a）は、ウェイト１５を下方に向けた場合の図を示しており、ウェイト１５とともに、上側の釣針を保持する保持筒７も図の上側に移動しているので、上側の傘状釣針４は、針収納ケース１７に収納されており、釣糸１３を巻き上げてドラムに巻き取るときに、上側の傘状釣針４が邪魔にならないので円滑に巻き取ることができる。
なお、ウェイト収納筒１６と針収納ケース１７とは分割され、ドラムに巻いたときにこの分割部分で折れ曲がるように接続されているので、ドラムに巻き取る際に、ウェイト収納筒１６や針収納ケース１７がドラムの外周から飛び出すことを防止することができるうえ、疑餌としての役割を果たすことができる。
一方、図１１（ｂ）は、ウェイト１５を上方に向けた場合の図を示しており、ウェイト１５とともに、上側の釣針を保持する保持筒７も図の下側に移動しているので、上側の傘状釣針４は、針収納ケース１７から突出しており、上側の傘状釣針４と下側の倒傘状釣針２とが近接することによって、イカやタコを挟み込んで外れにくくすることができる。
なお、ウェイト収納筒１６にコイルスプリング７´を設けることによって、ウェイト１５の上下動による衝撃を緩やかにすることができる。
また、本実施例に用いる上側の傘状釣針４を構成する針杆４´を傘状釣針４の内方に弾発自在に形成した釣針を用いることによって、イカやタコが引っ掛かり易く、また、一旦引っ掛かったら外れにくくすることができる。
【００１２】
図１２は、本発明の釣具における上側の傘状釣針が上下に移動する実施例を示す図であり、図１２（a）は上側の釣針が上昇した状態、図１２（ｂ）は上側の釣針が下降した状態を示す。
図１２において、１は軸部材、１´釣糸連結部、２は倒傘状釣針、２´は針杆、４は傘状釣針、４´は針杆、１３は釣糸、１５はウェイト、１６はウェイト収納筒、１７は針収納ケース、１９はバネ、２０はオンオフ装置、２１は引き紐、２２はアームを示す。
本実施例は、軸部材１に装着した上向きの倒傘状釣針２の上部に下向きの傘状釣針４を対向して装着する釣具であって、前記上向きの倒傘状釣針２の上方にアーム２２を設け、該アーム２２が該倒傘状釣針２の内方に傾動すると前記下向きの傘状釣針４が下降することを特徴とする。
図１２（a）は、上側の釣針が上昇したときの図を示しており、ウェイト１５とともに、上側の釣針４も図の上側に移動しており、倒傘状釣針２の上方の空間が空いているので、イカやタコは簡単に下側の倒傘状釣針２に引っ掛かる。
このとき、ウェイト落下ストッパー２０はバネ１９によって引っ張られることによりストッパーがＯＮ状態となり、ウェイト１５の下降を防止することができ、釣糸をドラムに巻き取る際にも上側の釣針が出入りしないので円滑に巻き取ることができる
なお、ウェイト収納筒１６と針収納ケース１７とは分割され、ドラムに巻いたときにこの分割部分で折れ曲がるように接続されているので、ドラムに巻き取る際に、ウェイト収納筒１６や針収納ケース１７がドラムの外周から飛び出すことを防止することができるうえ、疑餌としての役割を果たすことができる。
一方、図１２（ｂ）は、上側の釣針が下降したときの図を示しており、イカやタコが下側の倒傘状釣針２に引っ掛かる際に、アーム２２を倒傘状釣針２の内方に傾動させると、引き紐２１が引っ張られて、バネ１９によって引っ張られていたウェイト落下ストッパー２０が傾動してストッパーが外れＯＦＦ状態となってウェイト１５が下降し、上側の傘状釣針４が下降してイカやタコを突き刺すので、イカやタコが釣針から外れにくくすることができる。
なお、ウェイト収納筒１６にコイルスプリング７´を設けることによって、ウェイト１５の上下動による衝撃を緩やかにすることができる。
また、本実施例に用いる上側の傘状釣針４のタイプは問わないが、針杆４´を傘状釣針４の内方に弾発自在に形成した釣針を用いることによって、イカやタコが引っ掛かり易く、また、一旦引っ掛かったら外れにくくすることができる。
【００１３】
図１３は、本発明の釣具における上側の傘状釣針が上下に移動する実施例を示す図であり、図１３（a）は上側の釣針が上昇した状態、図１３（ｂ）は上側の釣針が下降した状態を示す。
図１３において、１は軸部材、１´釣糸連結部、２は倒傘状釣針、２´は針杆、４は傘状釣針、４´は針杆、１３は釣糸、１５はウェイト、１６はウェイト収納筒、１７は針収納ケース、１９はバネ、２２はアーム、２９はボール、３０はボール受け入れ穴、３１はアームホルダー押さえ軸、３２はアームホルダーを示す。
本実施例は、軸部材１に装着した上向きの倒傘状釣針２の上部に下向きの傘状釣針４を対向して装着する釣具であって、前記上向きの倒傘状釣針２の上方にアーム２２を設け、該アーム２２が該倒傘状釣針２の内方に傾動すると前記下向きの傘状釣針４が下降することを特徴とする。
図１３（a）は、上側の釣針が上昇したときの図を示しており、ボール２９がウェイト１５を支持しているので、上側の釣針４は図の上側に移動しており、倒傘状釣針２の上方の空間が空いているので、イカやタコは簡単に下側の倒傘状釣針２に引っ掛かる。
なお、ウェイト収納筒１６と針収納ケース１７とは分割され、ドラムに巻いたときにこの分割部分で折れ曲がるように接続されているので、ドラムに巻き取る際に、ウェイト収納筒１６や針収納ケース１７がドラムの外周から飛び出すことを防止することができるうえ、疑餌としての役割を果たすことができる。
一方、図１３（ｂ）は、上側の釣針が下降したときの図を示しており、イカやタコが下側の倒傘状釣針２に引っ掛かる際に、アーム２２を倒傘状釣針２の内方に傾動させると、アームホルダー３２が傾動し、アームホルダー押さえ軸３１が持ち上げられてボール２９がボール受け入れ穴３０に落ち込むことによってウェイト１５が下降し、上側の傘状釣針４が下降してイカやタコを突き刺すので、イカやタコが釣針から外れにくくすることができる。
なお、ウェイト収納筒１６にコイルスプリング７´を設けることによって、ウェイト１５の上下動による衝撃を緩やかにすることができる。
また、本実施例に用いる上側の傘状釣針４のタイプは問わないが、針杆４´を傘状釣針４の内方に弾発自在に形成した釣針を用いることによって、イカやタコが引っ掛かり易く、また、一旦引っ掛かったら外れにくくすることができる。
【００１４】
図１４は、本発明の釣具における上側の傘状釣針が上下に移動する実施例を示す図であり、図１３（a）は上側の釣針が上昇した状態、図１３（ｂ）は上側の釣針が下降した状態を示す。
図１４において、１は軸部材、１´釣糸連結部、２は倒傘状釣針、２´は針杆、４は傘状釣針、４´は針杆、１３は釣糸、１５はウェイト、１６はウェイト収納筒、１７は針収納ケース、２３は磁石、２４は吸着離し装置、２５は持ち上げ防止装置、２６はイカ１を示す。
本実施例は、軸部材１に装着した上向きの倒傘状釣針２の上部に下向きの傘状釣針４を対向して装着する釣具であって、前記下向きの傘状釣針４を収納する針収納ケース１７内に磁石２３を設け、前記上向きの倒傘状釣針２に一定以上の重量がかかると、前記下向きの傘状釣針４が下降することを特徴とする。
図１４（a）は、上側の釣針が上昇したときの図を示しており、磁石２３がウェイト１５を吸着しているので、上側の釣針４は図の上側に移動しており、倒傘状釣針２の上方の空間が空いているので、イカやタコは簡単に下側の倒傘状釣針２に引っ掛かる。
なお、ウェイト収納筒１６と針収納ケース１７とは分割され、ドラムに巻いたときにこの分割部分で折れ曲がるように接続されているので、ドラムに巻き取る際に、ウェイト収納筒１６や針収納ケース１７がドラムの外周から飛び出すことを防止することができるうえ、疑餌としての役割を果たすことができる。
一方、図１４（ｂ）は、上側の釣針が下降したときの図を示しており、イカやタコが下側の倒傘状釣針２に引っ掛かる際に、一定以上の重量が倒傘状釣針２にかかると吸着離し装置２４が作動して磁石２３からウェイト１５が離されて下降し、上側の傘状釣針４が下降してイカやタコを突き刺すので、イカやタコが釣針から外れにくくすることができる。
なお、ウェイト１５の上方には、持ち上げ防止装置２５が設けられており、
ウェイト１５と針収納ケース１７および軸部材１との摩擦抵抗を高めることによって、イカやタコが簡単にウェイト１５を持ち上げて逃げられないようにしている。
また、本実施例に用いる上側の傘状釣針４のタイプは問わないが、針杆４´を傘状釣針４の内方に弾発自在に形成した釣針を用いることによって、イカやタコが引っ掛かり易く、また、一旦引っ掛かったら外れにくくすることができる。
なお、タコは海底に生息しているため、図１１乃至図１４に示す釣具を海底まで沈める必要があり、この場合には前記ウェイトが移動しにくいので、上側の傘状釣針をバネによって移動させることが好ましい。
【００１５】
図１５は、本発明の釣針を職業船による漁業に用いる方法を示す図である。
図１５において、２は倒傘状釣針、４は傘状釣針、１３は釣糸、１４は疑餌、２７はイカ外し装置、２８はドラム、３３は前ローラーを示す。
職業船においては、個々の釣針ごとにイカやタコを取り外す作業を行うことができないので、イカ外し装置２７を用いて、釣針を装着した軸部材を曲げることによって、自動的にイカやタコを外した後にドラム２８に釣糸１３を巻き上げることにより、効率的にイカやタコの漁業を行うことができる。
なお、この釣糸１３にバネ材を使用することによって釣り効果が上がる場合もある。
【図面の簡単な説明】
【００１６】
【図１】本発明の釣具の実施形態を例示する図である。
【図２】本発明の釣具の実施形態を例示する図である。
【図３】本発明の釣具の実施形態を例示する図である。
【図４】本発明の釣具の実施形態を例示する図である。
【図５】本発明の釣具の実施形態を例示する図である。
【図６】上側の傘状釣針を構成する針杆の弾発機構を示す図である。
【図７】本発明に用いる傘状釣針および倒傘状釣針を例示する図である。
【図８】図７の（a）と(b)の釣針を組み合わせた釣具を示す図である。
【図９】図７の（a）と(b)の釣針を組み合わせた釣具を示す図である。
【図１０】本発明の釣具の実施形態を例示する図である。
【図１１】本発明の釣具に針収納ケースを設けた実施例を示す図である。
【図１２】本発明の釣具における上側の傘状釣針が上下に移動する実施例を示す図である。
【図１３】本発明の釣具における上側の傘状釣針が上下に移動する実施例を示す図である。
【図１４】本発明の釣具における上側の傘状釣針が上下に移動する実施例を示す図である。
【図１５】本発明の釣針を職業船による漁業に用いる方法を示す図である。
【符号の説明】
【００１７】
１  軸部材
１´釣糸連結部
２  倒傘状釣針
２´針杆
３  針ストッパーパイプ
４  傘状釣針
４´針杆
５  弾性圧着筒
６  操作パイプ
７  保持筒
７´コイルスプリング
８  環状係止溝
９  支持部材
１０  支持リング
１１  弾性リング
１２  ストッパー
１３  釣糸
１４  疑餌
１５  ウェイト
１６  ウェイト収納筒
１７  針収納ケース
１８  ストッパー
１９  バネ
２０  ウェイト落下ストッパー
２１  引き紐
２２  アーム
２３  磁石
２４  吸着離し装置
２５  持ち上げ防止装置
２６  イカ
２７  イカ外し装置
２８  ドラム
２９  ボール
３０  ボール受け入れ穴
３１  アームホルダー押さえ軸
３２  アームホルダー
３３  前ローラー
【要約】
【課題】イカやタコが下針に引っ掛かり易く、一度引っ掛かったイカやタコを引き上げる途中における針からの逃逸や脱落を防止することができる釣具を提供する。
【解決手段】軸部材に装着した上向きの倒傘状釣針の上部に、下向きの傘状釣針を対向して装着する釣具であって、前記下向きの傘状釣針の針杆を該傘状釣針の内方に弾発自在に形成することを特徴とする釣具。好ましくは、前記上向きの倒傘状釣針を構成する針杆を湾曲して形成し、その針先を前記軸部材の軸心寄りに偏らせる。
【選択図】図１
【図１】
0003564125.tif 000002
【図２】
0003564125.tif 000003
【図３】
0003564125.tif 000004
【図４】
0003564125.tif 000005
【図５】
0003564125.tif 000006
【図６】
0003564125.tif 000007
【図７】
0003564125.tif 000008
【図８】
0003564125.tif 000009
【図９】
0003564125.tif 000010
【図１０】
0003564125.tif 000011
【図１１】
0003564125.tif 000012
【図１２】
0003564125.tif 000013
【図１３】
0003564125.tif 000014
【図１４】
0003564125.tif 000015
【図１５】
0003564125.tif 000016